(57)【要約】      （修正有）【課題】墜落防止用安全器の機能を何ら阻害することなく、作業者の移動に円滑に追従させて移動させることができる墜落防止用安全器の保持治具を提供する。【解決手段】構造物から吊り下げられたライフラインＲに支持される安全器本体２と、この安全器本体２に前記ライフラインＲを挟んで回動可能に設けられた押圧爪３とを備えた墜落防止用安全器１で、通常作業の際の安全器本体２を保持し万一の墜落時に離脱可能な安全器ホルダ１１を作業者が搭乗して作業する作業台に取り付けるとともに、この安全器ホルダ１１に、通常作業の際の押圧爪３によるライフラインＲの押圧状態を解放する押圧解放部１２を設ける。通常作業時には、押圧爪３によるライフラインＲの押圧状態を解放してスムーズに移動させ、万一の墜落時には安全器本体２が安全器ホルダ１１から外れることで、押圧爪３の回動による楔作用が生じてライフラインＲを押圧して停止保持して墜落を防止する。【選択図】図３
0003146192.tif 000002
【実用新案登録請求の範囲】
【請求項１】
構造物から吊り下げられたライフラインに支持される安全器本体と、この安全器本体に前記ライフラインを挟んで回動可能に設けられ作業者の安全帯と連結され万一の墜落の際の回動による楔作用で前記ライフラインを押圧して停止保持する押圧爪とを備えた墜落防止用安全器であって、
通常作業の際の前記安全器本体を保持し万一の墜落時に離脱可能な安全器ホルダを前記作業者が搭乗して作業する作業台に取り付けるとともに、この安全器ホルダに、通常作業の際の前記押圧爪による前記ライフラインの押圧状態を解放する押圧解放部を設けてなることを特徴とする墜落防止用安全器の保持治具。
【請求項２】
前記安全器ホルダに、前記押圧爪に連結された前記安全帯との連結部材を挟んで支持する支持部材を設けたことを特徴とする請求項１記載の墜落防止用安全器の保持治具。
【請求項３】
前記安全器ホルダに設けた前記支持部材に、前記安全帯との連結部材の連結孔に対応する切り欠き部を形成したことを特徴とする請求項１記載の墜落防止用安全器の保持治具。
【請求項４】
前記安全器ホルダに、前記安全器本体を当接させて姿勢を保持する安定用当て部材を設けたことを特徴とする請求項１〜３のいずれかに記載の墜落防止用安全器の保持治具。
【請求項５】
前記安全器ホルダを、前記作業台となる昇降作業用のケージの後手摺に固定可能に構成したことを特徴とする請求項１〜４のいずれかに記載の墜落防止用安全器の保持治具。
【考案の詳細な説明】
【技術分野】
【０００１】
この考案は墜落防止用安全器の保持治具に関し、建築物などの構造物の上部から垂下したワイヤロープなどの索条を介して作業台などのゴンドラで作業を行う場合に、万一の墜落を防止する安全器を使用して円滑に作業ができるようにするものである。
【背景技術】
【０００２】
従来から、ビル、船舶、発電所、タンク、煙突、そして橋梁などの構造物の壁面の構築や補修などの高所作業を安全かつ能率的に行うためワイヤロープなどの索条で吊り下げた作業者が搭乗する作業台としてのケージを備えた、いわゆるゴンドラ装置を用いることも多く、作業用のケージを昇降機構で上下に昇降可能としたり、さらに必要に応じて上下の昇降だけでなく左右の横行も可能とすることを組み合わせて広範囲の作業を行うようにしている。
【０００３】
このような作業用のケージを備えるゴンドラで作業を行う場合に、万一の墜落を防止するため、例えば特許文献１に開示されている墜落防止用安全器１が用いられ、図４に示すように、作業用のケージのワイヤロープとは別に構造物から吊り下げられたライフラインＲを、安全器本体２と、この安全器本体２に回動可能に設けられた押圧爪３とで挟むようにするとともに、押圧爪３の連結部材を構成する連結リング４と作業者の安全帯とを補助ロープで連結するようになっており、万一の墜落の際の押圧爪３の回動による楔作用でライフラインＲを安全器本体２との間で押圧して停止保持することで、墜落を防止する。
【特許文献１】実用新案登録第３００２６５６号公報
【考案の開示】
【考案が解決しようとする課題】
【０００４】
ところが、墜落防止用安全器１と作業者の安全帯とを補助ロープで連結状態で作業する場合に、作業用のケージの昇降に伴って墜落防止用安全器１をライフラインＲに沿って移動させる必要があるが、通常、安全器本体２に回動可能に取り付ける押圧爪３はライフラインＲを挟む方向にばね５で付勢してあることから、滑らかに移動せずに引っ掛かることがあり、特に下降時には引っ掛かり易く、その都度墜落防止用安全器１を移動させなければならず、作業が中断したり、作業の妨げとなるという問題がある。
【０００５】
この考案は、上記従来技術の問題点に鑑みてなされたもので、墜落防止用安全器の機能を何ら阻害することなく、作業者の移動に円滑に追従させて移動させることができる墜落防止用安全器の保持治具を提供しようとするものである。
【課題を解決するための手段】
【０００６】
上記課題を解決するためこの考案の請求項１記載の墜落防止用安全器の保持治具は、構造物から吊り下げられたライフラインに支持される安全器本体と、この安全器本体に前記ライフラインを挟んで回動可能に設けられ作業者の安全帯と連結され万一の墜落の際の回動による楔作用で前記ライフラインを押圧して停止保持する押圧爪とを備えた墜落防止用安全器であって、通常作業の際の前記安全器本体を保持し万一の墜落時に離脱可能な安全器ホルダを前記作業者が搭乗して作業する作業台に取り付けるとともに、この安全器ホルダに、通常作業の際の前記押圧爪による前記ライフラインの押圧状態を解放する押圧解放部を設けてなることを特徴とするものである。
【０００７】
また、この考案の請求項２記載の墜落防止用安全器の保持治具は、請求項１記載の構成に加え、前記安全器ホルダに、前記押圧爪に連結された前記安全帯との連結部材を挟んで支持する支持部材を設けたことを特徴とするものである。
【０００８】
さらに、この考案の請求項３記載の墜落防止用安全器の保持治具は、請求項１記載の構成に加え、前記安全器ホルダの前記支持部材に、前記安全帯との連結部材の連結孔に対応する切り欠き部を形成したことを特徴とするものである。
【０００９】
また、この考案の請求項４記載の墜落防止用安全器の保持治具は、請求項１〜３のいずれかに記載の構成に加え、前記安全器ホルダに、前記安全器本体を当接させて姿勢を保持する安定用当て部材を設けたことを特徴とするものである。
【００１０】
さらに、この考案の請求項５記載の墜落防止用安全器の保持治具は、請求項１〜４のいずれかに記載の構成に加え、前記安全器ホルダを、前記作業台となる昇降作業用のケージの後手摺に固定可能に構成したことを特徴とするものである。
【考案の効果】
【００１１】
この考案の請求項１記載の墜落防止用安全器の保持治具によれば、構造物から吊り下げられたライフラインに支持される安全器本体と、この安全器本体に前記ライフラインを挟んで回動可能に設けられ作業者の安全帯と連結され万一の墜落の際の回動による楔作用で前記ライフラインを押圧して停止保持する押圧爪とを備えた墜落防止用安全器であって、通常作業の際の前記安全器本体を保持し万一の墜落時に離脱可能な安全器ホルダを前記作業者が搭乗して作業する作業台に取り付けるとともに、この安全器ホルダに、通常作業の際の前記押圧爪による前記ライフラインの押圧状態を解放する押圧解放部を設けてなるので、作業台に取り付けた安全器ホルダに安全器本体を保持するようにし、押圧爪を安全器ホルダに設けた押圧解放部でライフラインの押圧状態を解放するようにすることで、通常作業時には、スムーズに移動させることができ、万一の墜落時には安全器本体が安全器ホルダから外れることで、押圧爪の回動による楔作用が生じてライフラインを押圧して停止保持することができる。これにより、通常作業時には、墜落防止用安全器がライフラインに沿ってスムーズに移動することで作業が中断したり、墜落防止用安全器を作業者が移動する必要がなく、万一の墜落時には、墜落を防止して安全性を確保することができる。
【００１２】
また、この考案の請求項２記載の墜落防止用安全器の保持治具によれば、前記安全器ホルダに、前記押圧爪に連結された前記安全帯との連結部材を挟んで支持する支持部材を設けたので、安全器本体を支持部材に挟むようにして安定した状態で保持することができる。
【００１３】
さらに、この考案の請求項３記載の墜落防止用安全器の保持治具によれば、前記支持部材に、前記安全帯との連結部材の連結孔に対応する切り欠き部を形成したので、支持部材に形成した切り欠き部によって安全帯との連結の際に連結孔が塞がれることがなく、通常と同様に連結して使用することができる。
【００１４】
また、この考案の請求項４記載の墜落防止用安全器の保持治具によれば、前記安全器ホルダに、前記安全器本体を当接させて姿勢を保持する安定用当て部材を設けたので、安全器本体を安定用当て部材に当てるようにすることで、一層安定した状態で姿勢を保持することができる。
【００１５】
さらに、この考案の請求項５記載の墜落防止用安全器の保持治具によれば、前記安全器ホルダを、前記作業台となる昇降作業用のケージの後手摺に固定可能に構成したので、作業ケージでの作業の際にも前前記ホルダが作業の邪魔になることもなく、安全性を確保しながら作業することができる。
【考案を実施するための最良の形態】
【００１６】
以下、この考案の墜落防止用安全器の保持治具の一実施の形態について添付図面を参照して詳細に説明する。
【００１７】
図１〜図３はこの考案の墜落防止用安全器の保持治具の一実施の形態にかかり、図１は概略背面斜視図、平面図および正面図、図２は作業台としての作業用のケージに適用した概略正面図および一部分を拡大した概略説明図、図３は通常時の概略説明図および非常時の概略説明図である。
【００１８】
この墜落防止用安全器の保持治具１０は、墜落防止用安全器１を保持することでライフラインＲに沿って安全器本体２および押圧爪３を円滑に移動できるようにするとともに、万一の墜落時には、通常の墜落防止用安全器１として機能させることで、安全器本体２と押圧爪３と一体の連結リング４に連結した補助ロープ５で作業者の安全帯を介して墜落を防止するものであり、墜落防止用安全器１としては、構造物から垂下したライフラインＲを利用する形式のものに広く適用できるものである。
【００１９】
この墜落防止用安全器の保持治具１０は、例えば図２に示すように、ゴンドラ装置２０を構成する構造物の屋上などに固定されて垂下されるワイヤロープ２１を作業台としての作業用のケージ２２に設けたワインダ２３に巻き掛け、その巻き掛け位置を移動しながら昇降されるゴンドラ装置２０による作業の邪魔にならない位置、例えば後手摺２４に取り付けられる安全器ホルダ１１を備えている。
【００２０】
この安全器ホルダ１１は、作業用のケージ２２の後手摺２４の内側垂直面と上面とに当てられる逆Ｌ字状部材１１ａと後手摺２４の外側垂直面に当てられる垂直板部材１１ｂとが溶接されて略コ字状の後手摺装着部１１ｃが形成されるとともに、垂直板部材１１ｂの上端部が台形状に形成されて後手摺装着部１１ｃの上部に突き出している。そして、後手摺装着部１１ｃには、２つの垂直板部分を貫通してボルト孔１１ｄが形成してあり、後手摺２４に装着後その下側にボルトを挿通してナットで締め付けることで、後手摺２４に固定できるようにしてある。
【００２１】
この安全器ホルダ１１には、垂直板部材１１ｂの上端部を跨ぐように墜落防止用安全器１が載せ置かれ、押圧爪３と一体の連結部材を構成する連結リング４が逆Ｌ字状部材１１ａの上面に垂直に置かれ、押圧爪３が垂直板部材１１ｂの外側面に当たるように置かれる。
【００２２】
このような墜落防止用安全器１の状態とすることで、安全器本体２と押圧爪３との間でライフラインＲの押圧が起こらないようにでき、ライフラインＲに沿う移動が円滑に行われるようになる。
【００２３】
すなわち、この安全器ホルダ１１では、逆Ｌ字状部材１１ａと、これと垂直の垂直板部材１１ｂとによって押圧解放部１２が構成され、安全器本体２と押圧爪３との間でライフラインＲの押圧が起こらない解放状態とすることができる。
【００２４】
さらに、この安全器ホルダ１１の垂直板部材１１ｂの外側面には、直方体状の安定用当て部材１３が押圧爪３の当接位置の両側に溶接によって取り付けてあり、墜落防止用安全器１を安定した姿勢で保持できるようしてある。
【００２５】
したがって、このように構成した墜落防止用安全器の保持治具１０に墜落防止用安全器１の安全器本体２を押圧解放部１２の一方の逆Ｌ字状部材１１ａ上に載せ、押圧爪３を押圧解放部１２の他方の垂直板部材１１ｂに当てるようにし、２つの安定用当て部材１３に当てておくとともに，連結リング４に作業者の安全帯の補助ロープ５を連結しておくことで、図３（ａ）に示すように，押圧爪３によるライフライＲの押圧が起こらず、スムーズに移動させることが可能となる。
【００２６】
一方、万一、作業者あるいは作業用のケージの墜落が起こると、図３(ｂ)に示すように、墜落による相対移動で安全器ホルダ１１から墜落防止用安全器１が外れ、押圧爪２の回動による楔作用でライフラインＲが安全器本体２と押圧爪３との間に強固に押圧されてライフラインＲに停止固定され，補助ロープ５を介して作業者の墜落が防止される。
【００２７】
また、この墜落防止用安全器の保持治具１０では、安全器ホルダ１１の上面に、墜落防止用安全器１の連結部材である連結リング４を挟むようにして保持する支持部材１４が設けられ、２枚の板材１４ａ、１４ａを連結リング３の厚さよりわずかに広い間隔で配置し、逆Ｌ字状部材１１ａの上面と垂直板部材１１ｂの内側面に溶接して取り付けてある。
【００２８】
この支持部材１４には、それぞれの板材１４ａ、１４ａに連結リング３の連結孔を塞がないように円弧状の切り欠き部１４ｂ、１４ｂがそれぞれ形成してあり、作業者の安全帯と連結する補助ロープ５のフックを支持部材１４，１４の存在にかかわらず従来どおり連結することができるようにしてある。
【００２９】
このような支持部材１４、１４に墜落防止用安全器１の押圧爪３と一体の連結リング４を挟むようにすることで，安定用当て部材１３と協働して安定した状態で墜落防止用安全器１を保持することができ、作業者が行う作業や移動によっても保持状態が維持でき、墜落防止用安全器１を使用することによる作業への影響を回避して作業することができる。
【図面の簡単な説明】
【００３０】
【図１】この考案の墜落防止用安全器の保持治具の一実施の形態にかかる概略斜視図、平面図および正面図である。
【図２】この考案の墜落防止用安全器の保持治具の一実施の形態にかかり、作業台としての作業用のケージに適用した概略正面図および一部分を拡大した概略説明図である。
【図３】この考案の墜落防止用安全器の保持治具の一実施の形態にかかり、通常時の概略説明図および非常時の概略説明図である。
【図４】この考案の墜落防止用安全器の保持治具が適用される墜落防止用安全器の概略正面図および動作説明図である。
【符号の説明】
【００３１】
１      墜落防止用安全器
２      安全器本体
３      押圧爪
４      連結リング(連結部材)
５      補助ロープ
Ｒ      ライフライン
１０    墜落防止用安全器の保持治具
１１    安全器ホルダ
１１ａ  逆Ｌ字状部材
１１ｂ  垂直板部材
１１ｃ  後手摺装着部
１１ｄ  ボルト孔
１２    押圧解放部
１３    安定用当て部材
１４    支持部材
１４ａ  板材
１４ｂ  切り欠き部
２０    ゴンドラ装置
２１    ワイヤロープ
２２    作業用のケージ
２３    ワインダ
２４    後手摺
【図１】
0003146192.tif 000003
【図２】
0003146192.tif 000004
【図３】
0003146192.tif 000005
【図４】
0003146192.tif 000006